(57)【要約】      （修正有）【課題】押す力を加えることなく指先の位置によってスイッチを動作さし、手振れを防止する。又、検出位置の直近に待機位置を設け、そこに指先を置いて安定さし誤操作を防止する。【解決手段】スイッチとして、マグネット、金属等の接近で動作する近接スイッチ５とし、マグネット、金属等の小片で成る操作片を指先に装着する。スイッチ５の直近に凹又は凸形状等の待機位置を形成し、指先の操作片を待機位置に置いて待機する。次に動作位置に移動さしてＯＮ動作さし、ＯＦＦするとき待機位置に移動する。【選択図】図１
2014110237.tif 000002
【特許請求の範囲】
【請求項１】
近接スイッチと、金属片を指先に装着する手段を備えて成る手操作スイッチ。
【請求項２】
金属片を置いても検出動作しない待機位置と、金属片を置いたとき検出動作する検出位置とを形成した請求項１の手操作スイッチ。
【請求項３】
請求項２の手操作スイッチを備えたカメラ。
【請求項４】
請求項２の手操作スイッチを備えた手持ち機器。
【請求項５】
指先に金属片を固着した手袋。
【請求項６】
待機位置と検出位置を形成した近接スイッチ。
【請求項７】
待機位置と検出位置を形成した近接スイッチのカバー。
【請求項８】
凸面を操作面とした近接スイッチの操作片。
【発明の詳細な説明】
【技術分野】
【０１】手操作のスイッチであって、機器類等の電気信号のＯＮ、ＯＦＦを行うスイッチに関する。
【背景技術】
【０２】従来、手持ち機器例えば電動ペン、ハンドディスペンサー、電気メス等に設置されたスイッチを指先で操作するとき、押す力で手持ち機器の先端が振れて目標位置からずれ、傷をつけたり、色がはみ出したりする。カメラのシャッターも同様で手振れを起こしてしまう。これはスイッチの操作力が意外と大きいから生じる。操作力が小さいとスイッチに触れただけでＯＮ、ＯＦＦしてしまうので押す力を若干大きくしている。又、押す直前にスイッチに軽く指を置いて待機することが多いが、力加減が難しく、待機時間が長いと指も疲れ、誤ってスイッチを押してしまう。
【発明が解決しようとする課題】
【０３】押す力を加えることなく指先の位置によってスイッチを動作さし、手振れを防止する。
又、検出位置の直近に待機位置を設け、そこに指先を置いて安定さし誤操作を防止する。
【課題を解決するための手段】
【０４】本発明ではスイッチとしてマグネット、金属等の接近で動作する近接スイッチとし、マグネット、金属等の小片で成る操作片を指先に装着する。或はタッチスイッチとして指先の接触で検出する。
検出位置の直近に凹又は凸形状或は平面形状等の待機位置を形成し、指先又は指先の操作片を待機位置に置いて待機する。次に検出位置に移動さしてＯＮ動作さし、ＯＦＦするとき待機位置に移動する。
【実施例１】
【０５】ハンドディスペンサー用スイッチを詳述する。ハンドディスペンサー１はシリンジ２内の液をシリンジ先端のノズル３より吐出して彫刻文字の色入れ、微小部品の接着等に利用する。スイッチ４は金属の接近で反応する近接スイッチ５を取付け台６に取り付ける。取付け台６の下面にマジックテープバンド７を設け、シリンジ２に巻き付けて固定する。近接スイッチ５のリード線８の端部コネクター９は液制御するコントローラーに接続されていてスイッチ４の信号を送る。指先に金属片１０を接着剤で張り付ける。近接スイッチ５は角型で十字面１１を検出面とする。
【作用】
【０６】指先の金属片１０を近接スイッチ５の角部１２（不検出部）に接触さして待機し、次に指先をずらして十字面１１に接触さすとスイッチＯＮとなり液が吐出する。このＯＮのとき近接スイッチ５の動作ランプが点灯してＯＮを確認する。ＯＦＦの時指先を少し浮かすとスイッチＯＦＦとなる。
近接スイッチ５の動作範囲は数ミリのものを選定する。
【効果】
【０７】押し圧が不要で手振れすることなく、指先の僅かな動きでスイッチを操作できる。
【０８】近接スイッチ５の角部１２（不検出部）を待機位置として指先を保持しているので、ＯＮまでの待機時間中に指先が震えてＯＮ動作してしまうのを防止できる。
【０９】近接スイッチ５は市販品を適応でき、外周への後付けが容易で、機械的な動作部の露出が無く防水構成にできる。構造が簡単で安価に提供できる。市販品の近接スイッチ５は検出面と側面のなす角部が９０度だから金属片１０がひっかかりやすい。斜めに形成して金属片１０の移動を滑らかにするのが良い。
【実施例２】
【１０】水中カメラシャッターを詳述する。水中カメラシャッターは水圧に耐える様に重くなっている。カメラを内装するケースにはテコ式のレバーを設け軽く動くようにしたものもある。又水中では手袋をすることが多くシャッター位置の確認に手間取りシャッタチャンスを逃したり、手振れを起こしたりする。【１１】カメラ２０はシャッター２１を近接スイッチ形式としＯＮのときシャッターが動作する様に構成する。皿形状の検出部２２は待機位置となる皿形状の縁突起部２３に操作用の金属ボタン２４を置いた時は動作することなく、皿底部２５に置いた時ＯＮ動作する。金属ボタン２４は皿形状の金属板で形成し、手袋の指先２６に縫着する。金属布、金属箔を縫着してもよい。あるいは着脱可能な指輪形式としてもよい。突起部２３には別の近接スイッチを設置して待機位置を検出するのも良い。
【作用】
【１２】金属ボタン２４を突起部２３にあてがい待機する。指先を移動し金属ボタン２４を皿底部２５に置くとシャッター２１がＯＮする。ファインダー内にＯＮ、待機位置表示さすと便利になる。
【効果】
【１３】波の揺れで身体が揺れているときも待機位置に指先を確りと固定しておけるのでシャッター操作が容易になる。
【１４】突起部２３、皿底部２５は可動部が無いから任意の形状で大きく形成でき、ごつい皮の水中用手袋をしていても操作が容易。シャッターとしての可動部は露出していないので高い水圧に耐えられ深度を深くできる。
【実施例３】
【１５】電気メスの手元スイッチを詳述する。医療用に使用する電気メス（レーザーメス、超音波メス等も含む）で細い血管、神経、小さな病理部等を処置するとき、手元スイッチを押す力でメス部が動くようでは処置位置を誤る。タッチスイッチ式の軽い手元スイッチもあるが、押す前にスイッチの上で指を浮かして待機するのが疲れる。【１５】電気メス３０は外周に小判輪郭の突起３１を形成し、突起３１の内側左方の皿底部３４に待機位置３２を構成し、突起３１の内側右方の皿底部３５に手元スイッチ３３を構成している。
皿底部３５は皿底部３４に隣接し、皿底部３５は皿底部３４より少し深く形成する。手元スイッチ３３は近接スイッチ構成としている。術者は手術手袋３６の指先に金属指輪３７を装着する。
金属指輪３７の中央に緩い円弧状突起を形成するのが操作しやすい。
【作用】
【１６】術者は金属指輪３７を待機位置３２となる皿底部３４に確りと当ててから、術部にメス先を添わしてから金属指輪３７を皿底部３５に滑らすと手元スイッチ３３がＯＮとなる。ＯＦＦするときは皿底部３４に金属指輪３７を滑らして移動する。近接スイッチの検出距離を選定し、接触しなくても検出面に近けるだけでも操作は可能である。
【効果】
【１７】手元スイッチ３３のＯＮ、ＯＦＦ動作は指先を滑らすことで可能になり、メス先は殆ど動くことが無く、処置位置を誤ることを防止できる。待機位置３２では指を浮かす必要がなく電気メス３０を確り保持でき、指も疲れない。
【１８】待機位置３２にも別の近接スイッチを構成さし、待機位置のときには識別のブザー音をならす等で術者に注意を促すことが可能となる。
【１９】近接スイッチとしてマグネット、金属等の接近で動作する近接スイッチとして詳述したが、タッチスイッチやホトスイッチとして指先の金属片をなくす構成でも可能で、待機位置、スイッチ位置を凹凸で識別し指先を滑らすことで位置を変えて操作して誤動作を防止していることに特徴がある。
タッチパネル等多数のスイッチが並んでいる場合、隣り合うスイッチの境界が曖昧で押し間違いが発生する。境界部分に薄い仕切りシートを置いて待機位置とすると同じ効果を得られる。又厚い手袋をしていても操作が容易であるから特殊な作業環境で誤動作を防止したいスイッチ例えば化学工場、原子炉、宇宙船等のスイッチに適応できる。操作に押す力を必要としないので、押すことのできない障害者用にも適応できる。
【実施例４】
【２０】従来の近接スイッチの検出面は単純な平面で形成されている。指先の金属片で操作するに便利な検出面を形成した近接スイッチを詳述する。近接スイッチ４０は検出面４１に於いて待機位置４２と検出位置４３を有し、夫々皿状凹みで形成している。取付面４４には取付穴４５を開けている。検出位置４３は待機位置４２より若干深くしておくと操作が容易になる。
【作用】
【２１】手持ち機器の外周に近接スイッチ４０を取付穴４５よりネジを挿入して取り付ける。待機位置４２に指先につけた金属片を置いて待機し、スイッチ操作時に指先を滑らして検出位置４３へ金属片を置くか近ける。近接スイッチはタッチスイッチにすると金属片が無くても操作できる。
【効果】
【２２】手持ち機器に専用のスイッチを作り込むことなく後から取り付けることが可能であるから手持ち機器の構造が簡単になる。スイッチの故障の時交換が容易。手操作でなく機械操作にもそのまま適応できる。検出面は皿状凹みだけでなく角、三角、かまぼこ形等各種適応が可能。
【実施例５】
【２３】指先につけるのが容易な金属片を詳述する。金属片５０は円盤皿形状を成し、指先への貼付け面５１を凹球面側とし、スイッチ検知面５２を凸球面側にする。貼付け面５１に接着剤を塗布する、手袋への縫い付け穴を設置する等の手段を施す。近接スイッチをマグネットスイッチにしたとき、金属片５０は磁石で形成する。ＮＳ極を間違えることが防止できる。安価に製造できる。スイッチ検知面５２の凸球面はスイッチ表面を滑りやすく操作が容易になる。樹脂製の指輪を形成し中央に金属片５０を嵌め合せて構成することも容易である。スイッチ検知面５２を凸球面に形成すると検知位置が狭くなり確実な応答位置を決めることができる。このことは機械操作の近接スイッチ操作片を球、三角、かまぼこ形等の凸面にして検知位置を確定することができる。（操作片を平板で構成すると、どの位置で検知するかよくわからないので目盛をつけて目印にすることもある）
【実施例６】
【２４】実施例１に於いて近接スイッチ５は市販角型スイッチを適応しているが、待機位置と検出位置が形成されていないので若干操作に習熟を要する。待機位置と検出位置を形成した近接スイッチケースを詳述する。近接スイッチケース６０は外皮６１の表面に待機位置６２と検出位置６３とを形成し、内部に近接スイッチ６４の挿入穴６５を形成し、両側面にマジックテープ６６を取付ける取付スリット６７を形成する。
【作用】
【２５】近接スイッチ６４を挿入穴６５に、検出位置６３と近接スイッチ６４の検出位置が一致するように挿入する。マジックテープ６６を装着し、手持ち機器の外周に装着する。
【効果】
【２６】市販角型スイッチを適応でき、取付ネジ穴の設置困難な薄肉部品にも取付け可能になる。
取付穴の設置可能な場合はマジックテープ６６等の設置を省略できる。挿入穴６５を形成したが市販角型スイッチの上面を覆う形状としても良い。角型スイッチの側面にスイッチケースを装着する溝等を設置するのも良い。
【図面の簡単な説明】
【２７】
【図１】実施例１の見取り図
【図２】実施例２の見取り図
【図３】実施例３の見取り図
【図４】実施例３の突起３１の部分断面図
【図５】実施例４の見取り図
【図６】実施例５の中心断面図
【図７】実施例６の見取り図
【図８】実施例６の立断面図
【符号の説明】
【２８】１：ハンドディスペンサー    ２：シリンジ    ３：ノズル    ５：近接スイッチ    ６：取付け台    ７：マジックテープ    １０：金属片    ２０：カメラ    ３０：電気メス
【図１】
2014110237.tif 000003
【図２】
2014110237.tif 000004
【図３】
2014110237.tif 000005
【図４】
2014110237.tif 000006
【図５】
2014110237.tif 000007
【図６】
2014110237.tif 000008
【図７】
2014110237.tif 000009
【図８】
2014110237.tif 000010